(57)【要約】      （修正有）【課題】電極近傍の温度上昇を自己冷却できる機能を持ち、生体と近接または接触した時に生体と電気回路を形成し、負に荷電した電子を生体内に送り込む事の可能な電極を持つ生態装着用複合構成体を提供する。【解決手段】マグネシウム、アルミニウム、亜鉛、チタン、鉄、錫の単独、合金、複合物および炭素材料のいずれか（Ａ）４と電解質を担持し電解質が移動可能な材料（Ｂ）３を組み合わせたシート状の複合構成体（ＡＢ）５を生体に近接もしくは接触させた時、（ＡＢ）と生体間に１０〜１５００ｍｍＶの電位差を生じ、同時に電解質の発生促進のために加えた水の潜熱により生体と１〜１５℃の温度差を発生可能な電極を持つ生体装着用複合構成体。【選択図】図１
0003136797.tif 000002
【実用新案登録請求の範囲】
【請求項１】
マグネシウム、アルミニウム、亜鉛、鉄、チタンまたは錫を主成分とする単独、複合物または合金からなるシート状の金属（Ａ）と、天然物または合成高分子を主成分とする紙、綿、織り布、不織布、網、気孔体およびイオン透過膜から選択された基材にイオン電導性の水、吸水性ゲル、イオン液体、および保水保湿性物質から選択された材料の単独物、複合物または配合物を担持させたシート状の物質（Ｂ）が互いに面を近接または接触して複合化された構成体（ＡＢ）となり、（Ａ）面が生体に近接または接触したときに（ＡＢ）と生体間に１０〜１５００ｍｍＶの電位差と１〜１５℃の温度差を生じる（ＡＢ）複合構成体。
【請求項２】
請求項１記載の（Ａ）が、粉末状の黒鉛またはカーボンブラックを導電材とし、これを成分とする塗料を天然物または合成高分子物からなる紙、綿、織り布、不織布、網および気孔体から選ばれた基材に塗付し、あるいは導電材単体を基材内部に担持させたシート状の物質であり、この（Ａ）と請求項１記載の（Ｂ）が互いに面を近接または接触して複合化された請求項１記載の（ＡＢ）複合構成体。
【請求項３】
請求項２記載の（Ｂ）が、イオン電導性の水、吸水性ゲル、イオン液体、および保水保湿性物質から選択された材料の単独物、複合物または配合物である請求項２記載の（ＡＢ）複合構成体。
【請求項４】
請求項１記載の（Ａ）が炭素繊維織り布または不織布である請求項１記載の（ＡＢ）複合構成体。
【請求項５】
請求項１から請求項４までの（ＡＢ）複合構成体が、（Ａ）（Ｂ）両面またはいずれか片面に天然物または合成樹脂から製造された織り布、不織布、網、気孔体または膜状物から選ばれた保護層を有する複合構成体。
【考案の詳細な説明】
【技術分野】
【０００１】  本考案は、包帯、粘着テープ、マスク、鉢巻、胸当て、腹巻、おむつ、帽子、ヘアーネット、靴、靴下、枕、枕カバー、寝具、サポータ、腕輪、衣服などの生活用品に装着して、生体に近接または接触させて用いられるシート状の導体（Ａ）とイオンによる導電可能なシート状の物質（Ｂ）の複合構成体（ＡＢ）で、（ＡＢ）単体では電位は発生しないが、生体と近接または接触した時に生体を一方の電極とする電池となって電気回路を作り、生体内に負に荷電した電子を送り込むと同時に、生体の熱と電池の形成に伴って発生する熱によって上昇した（ＡＢ）の温度を自己冷却する事が可能な複合構成体で、その技術分野は半電池および電池に関する。その適用される分野は、電気治療および健康保持に関する。
【背景技術】
【０００２】  細胞膜は負の電位を持つことが知られている。この電場の近傍は、蛋白質が複雑な酸化還元反応を起こし、またカリウム、ナトリウムあるいはカルシウムなどの金属イオンが出入りする生命活動の場となっている。生体に変化が起こると膜電位は低下し電場環境が変わり、数々の生活習慣病も、この電気的環境の変化を伴うとされている。この変化は活性酸素によっても起る事が知られている。
最近、白金製針電極を癌細胞膜に刺して、２ないし１０ボルトの微弱な電気を細胞内に取入れると、癌細胞が消滅、あるいは縮小するとの例が報告されており、また生活習慣病が薬物などによって症状が好転すると膜電位も回復することなどの例が報告されており、生活習慣病と膜電位の間に関連があるという事が数多く示唆されている。生活習慣病の主な原因とされる活性酸素を消滅させるのに有効な抗酸化物も数多く提案されサプリメントとして広く用いられており、膜電位の適正化に寄与しているものと推測される。しかし生活習慣病を治療する方法は食事、喫煙、飲酒、運動など生活習慣の改善と対症治療のための薬の摂取で、将来の究極の治療法としては免疫力の増加や遺伝子の面からの研究に大勢が傾いており、この生活習慣病に対して包括的に有効な対応策は未だ見つかっていないのが現状である。生体内の電気環境の変化は、これら生活習慣病のほか、筋肉や神経の正常な働きを低下させて痛みや手足の震えを起こす原因となるほか、種々の菌の繁殖や体液中の成分の沈着によるシミや血管の狭窄、結石などを引き起こす原因ともなっている。これらの生体の異常も、個別の症状について投薬や手術による治療法しか無いのが現状である。痛みなどの疾患に関しては、商用周波あるいは高周波の電気を外部電源から患部に印加するものや異種金属を利用したガルバニ電池を患部に当てて電気を印加する治療が行われている。一方、米国では直流の低電圧を生体に流して治療を行う電気治療が最近ひろく行われてくるようになったが、これも外部電源を用いるもので患者の生活に関しては不便なものとなっている。
また体温の冷却は、冷却機械を用いて冷却し体温より低温とした冷媒を生体に直接あるいは間接的に接触させて冷却を行っているのが現状である。ペルチエ効果を利用したものも知られている。
【特許文献１】特開２００４−５１５６０
【特許文献２】特願２００３−３３９７５５
【特許文献３】特開２００２−２９１９０９
【特許文献４】特願２００２−１２６１０３
【特許文献５】特開２０００−２６２６３８
【特許文献６】特開２００１−７８８７０
【特許文献７】特開２００５−３４４９９３
【特許文献８】ＵＳＰ５３９７３３８
【特許文献９】ＵＳＰ５２７２３１
【非特許文献】日本医事新報  Ｎｏ．３７８４、ｐ−１０５、平成８年１１月２日
【非特許文献】Ｃｌｉｎｉｃａｌ  Ｅｌｅｃｔｒｏｐｈｙｓｉｏｌｏｇｙ，Ｅｌｅｃｔｒｏｔｈｅｒａｐｙ  ａｎｄ  Ｅｌｅｃｔｒｏｐｈｙｓｉｏｌｏｇｉｃａｌ  Ｔｅｓｔｉｎｇ，Ａ．Ｊ．Ｒｏｂｉｎｓｏｎ  ａｎｄ  ｏｔｈｅｒｓ，Ｗｉｌｌｉａｍｓ  ＆  Ｗｉｌｋｉｎｓ  Ｃｏ．１９５５
【考案の開示】
【考案が解決しようとする課題】
【０００３】  本考案は、生体に直接または間接的に装着して生体の電場環境を変化させることの可能な電源の開発と、このとき電源付近では蓄熱のために温度が上昇し不快感を生じるので、この対応策として冷却機械などの外部エネルギーや、特別に準備した冷媒を蒸発させ、その気化熱で生体を冷却するのではなく、自己冷却可能な電源の開発を課題とした。
【課題を解決するための手段】
【０００４】  本考案は、マグネシウム、アルミニウム、亜鉛、鉄、チタン、錫および炭素材料から選択されたシート状の材料（Ａ）と、天然物または合成高分子物を主成分とする紙、綿、織り布、不織布、網、気孔体およびイオン透過膜のいずれかを基材とし、この基材にイオン電導性の水、吸水性ゲル、イオン液体、および保水保湿性物質の単独物、複合物および配合物から選択された電離可能な物質を担持させた（Ｂ）を組み合わせた複合構成体（ＡＢ）が、（Ａ）面を生体に近接または接触させた時に生体と電気回路を形成し、（Ａ）付近に生じた負に荷電した電子を生体に送り込み、生体の電気的環境を変化させる事を手段とするものである。炭素材料は、黒鉛またはカーボンブラックからなる導電性塗料を紙、綿、織り布、不織布、網および気孔体に塗布するほか、黒鉛またはカーボンブラック単体を内部に担持させて得られたシート状の気孔体、あるいは炭素繊維織り布または炭素繊維不織布を使用する。金属類は単体、合金および被覆などの方法で複合化されたシート状の材料を使用する。シートは薄板であれば、平面状、曲面状、穴明き状あるいは網状でもよい。この手段によって生体内に生じた電位変化を回復し、老化や疲労で低下した機能の改善が図れる事となった。生体内の電位差は、例えば左右の手の間について言えば、青少年は２０ｍｍＶ以下の者が多いが、５０代以降になると１００ｍｍＶ以上を示すことも珍しくなくなる。本考案の方法によれば、この値を４０ｍｍＶ程度以下に低下させることが可能となり、これと同時に各種の生体機能を改善できることが分かった。このとき、複合構成体（ＡＢ）に体熱および電気回路の形成に起因する畜熱現象が見られ、不快感を生じる欠点があったので、これを解決する手段として、（Ｂ）に担持し含ませたイオン電導性を促進するための水を蒸発させ、その気化熱によって（ＡＢ）の温度を低下させ、快適な使用環境を維持できるようにした。このとき、（Ｂ）は（Ａ）より面積が大きいことが望ましい。水の添加のほか、パラフインやココナッツ油などの１０ないし３０℃に融点を有する潜熱蓄熱材やペルチエ素子を併用することも可能である。（ＡＢ）の温度は体熱および電気回路形成によって３６℃前後に上昇し、その近傍の外気温２０〜３０℃との温度差によって（Ｂ）内の水は徐々に気化することになる。これにより、冷却機械の騒音もなく、特別な冷媒を使用して冷却させる必要もない自己冷却を実現することができる。（ＡＢ）の温度は、ほぼ２５〜３０℃に保たれ、最低温度としては約２０℃の低温が得られた。【０００５】（Ａ）はマグネシウム、アルミニウム、亜鉛、鉄、チタン、錫および炭素材料から選択される材料を主成分とするシート状の物体である。シート状の形は、平板、有孔板、網であり、このうち金属材料は、単独物、合金および被覆された複合物が使用可能である。炭素材料は、黒鉛およびカーボンブラックからなるシート状の材料が使われる。黒鉛や炭素繊維は単独でもシート状に加工可能で本考案の効果を得る事が出来るが、粉末状の炭素材料を天然樹脂または合成高分子物と混ぜて導電性塗料とし、イオン透過膜を除く（Ｂ）項目記載の基材のいずれかに塗布して使用するとコストが安くなり好ましい。また���レタンホームなどの気孔体に、発泡前にあらかじめ粉末状の炭素材料を配合しておき、発泡後に基材内部に炭素粉末を分散して担持させ（Ａ）として使用する事も出来る。基材に炭素材料を塗布すると、基材の表面と内部あるいは裏面との間に炭素塗布量の傾斜が見られ、炭素塗布量の少ない方の基材面に（Ｂ）のイオン導電性の水、吸水性ゲル、イオン液体および保水保湿性物質の単独物、複合物または配合物を塗布して電解質層を形成させる。また（Ｂ）に指定されている基材は、二層以上に重ねて使用してもよい。
物体（Ａ）は導電性に優れた導体材料より構成され、二種類の異なる（Ａ）が電解質を介して互いに相対した時に化学電池を形成する事が出来る材料である。しかし本発明の（ＡＢ）は、導体が一種類であるために電解質を伴った状態でも電気を生じない。生体に近接または接触した時にだけ電位を生じ、生体を一方の電極として電気回路が形成され、負に荷電した電子が生体に取り込まれるという現象が起こる。上記の導体の中では、アルミニウム、亜鉛の合金である真鍮および炭素材料が（Ａ）として好ましく、特にアルミニウムと炭素材料が適している。マグネシウムは１５００ｍｍＶほどの高電位が必要なときに有効である。この発電において生体内に流れる電流は、最大で２ｍｍＡであった。
（Ａ）の大きさや形は被装着体に合わせて設計されるが、厚さは０．００５〜５ｍｍ、好ましくは０．０２〜２ｍｍ、更に好ましくは、０．０３〜１ｍｍが好い。【０００６】（Ｂ）は天然物または合成高分子物を主成分とする紙、綿、織り布、不織布、網、気孔体および固体のイオン透過性膜の何れかを基材とし、この基材にイオン導電性の水、吸水性ゲル、イオン液体および保水保湿性物質から選ばれた単独物、複合物または配合物を担持させたもので、（Ａ）と近接ないし接触状態に組み合わされ複合化されて（ＡＢ）となる。紙、綿、織り布、不織布、網、気孔体は植物繊維、無機繊維、合成繊維および合成高分子を原材料としたものを用いる。特に植物繊維から出来た織り布が好ましい。これらの基材にイオン導電性の水、吸水性ゲル、イオン液体や保水保湿性物質を担持させ、この基材層が電解質を透過可能とする。水は電解質を含んだ水道水が簡単で使いやすい。皮膚に対し親和性を増し有効性を高めるために、無機塩、有機酸などを添加した水や温泉水も本考案の水の範疇に入る。特にサリチル酸やフルーツ酸を溶解した水は、シミやアザなどのピーリング効果、淡色化を促進する。皮膚や毛髪など生体の等電点はｐＨ５．０ないし５．５とされており、電解質は出来るだけこれに近い事が好ましい。使用する水の量は、少なくとも基材に対して重量比で２％以上含ませる。しかし水は（ＡＢ）の発電と共に気化蒸発して消耗するので適宜補充することになる。また生体の分泌物からも供給補充される。（Ｂ）の厚さは０．１〜１０ｍｍ、好ましくは０．３〜５ｍｍ更に好ましくは０．５〜２ｍｍである。この厚さは含まれる水の量に関係する。厚いと保水量も多くなり、長時間水の補給をしないですむ。一晩の着用では頭部の場合、１００平方センチメートル当たり約１０ｃｃの水が蒸発するので、保水量はこれに合わせて設計しておく。なお吸水性ゲルは、合成高分子吸水性ゲルおよび寒天、こんにゃくなどの天然高分子ゲルを含む。保水保湿性物質は化粧用クリーム、石鹸のような界面活性剤、ヒヤルロン酸やコラーゲンなどの保水保湿性液状物および澱粉糊、粘土などの水添加物を含む。（Ａ）と（Ｂ）を複合化するために使用する粘接着剤なども、その厚さが０．０５ｍｍ以下の薄いものは水を透過させ保水保湿する事ができる。【０００７】（Ａ）および（Ｂ）は、夫々の面と面が近接あるいは接触して複合化され一体のシート状の形状品として使用に供される。近接時にも、部分的には接触していることが必要である。イオン導電性の水、吸水性のゲル、イオン液体や保水保湿性混合物は液状なので特に接着剤の必要はなく塗布するだけでよい。足裏などに装着する（ＡＢ）複合構成体は、生体の激しい動きによって外部から大きな力を受けるので、粘接着剤を使用し（Ａ）（Ｂ）が強固に貼りあわされるようにする。粘接着材の厚さは前述のように０．０５ｍｍ以下とすることが必要である。（Ａ）と（Ｂ）の複合化の方法は、ロールラミネータなど従来から用いられている貼り合わせ用の機器や方法によって行う。また（Ｂ）面は粘着性を有するので、その表面に離型紙やプラスチックフイルム、網あるいは布などを貼って、生体や衣服などに装着する時に、汚染や粘着防止のための保護膜とする。（ＡＢ）が生体と電気回路を作り負に荷電した電子を生体に送り込む作用を果たしている時に、（Ａ）と保護膜の間に電気回路の形成が無く、または極めて僅少な時は保護膜に導体を用いる事も可能である。本考案者の実験では、（Ａ）に真鍮箔、保護膜にアルミニウム箔を用い生体に接触した時、真鍮箔は負電位となり、生体から離れた時には正電位を帯びる事が分かり、アルミニウム箔は生体に接触した時は真鍮箔と同電位に近くなり両箔間に電池の形成は見られないが、生体と離れた時は負電位となって両箔間に電池が形成されることが分かった。（Ａ）に１３Ｃｒステンレス箔、保護膜に銅箔を用いた場合でも同様な結果が得られた。この２例から分かるように（ＡＢ）複合構成体は、生体に近接または接触し、生体との間に電位を生じた時は、保護膜に金属箔を用いても（Ａ）と保護膜間には電池となって電気回路が形成される事はない。またイオン電導性の水、ゲル、イオン液体および保水保湿性液状物は（Ａ）側に塗布し、基材はその外側にして（Ａ）と複合化し（Ｂ）面が生体に粘着しないようにしても装着性が向上できる。（Ａ）の表面は、露出した状態、または布や網、不織布などで保護した状態で使用する。後者の場合は、（Ａ）と生体は近接した位置関係となるが生体との電気回路形成には問題はなかった。たとえば足裏に（ＡＢ）複合構成体を足と靴下を介して装着しても足裏との間に電位が形成され有効に機能した。【０００８】（ＡＢ）複合構成体を生体に装着する方法は、頭部では、帽子やヘアーネットの内部に挿入した状態で着用するとよい。枕や枕カバーは夫々既存の枕および枕カバーに紐やテープで固定して使用する。これらの装着法は特に制限はなく、生体と（Ａ）面が近接または接触した状態が実現すれば任意の方法で良い。筋肉痛や関節痛、神経痛などは患部付近に（ＡＢ）複合構成体を医療用のテープなどで貼る事になる。長距離走などでは、腹部や太ももに貼って痛みを予防すると良い。このようにして、（ＡＢ）複合構成体を生体に装着すると、生体との間には１０〜１５００ｍｍＶの電位差と体温より１〜１５℃の低温が得られ、同時に痛みその他の異常が緩和または解消される。【０００９】  なお、電位差は次のようにして測定した。足の甲に（ＡＢ）複合構成体を乗せ、軽く押さえて接触させる。この状態で、電位差測定器の一方の端子を皮膚と（ＡＢ）複合構成体の間に、もう一方の端子を（ＡＢ）複合構成体の外側の面に当てて電位差計に表示された電位を読み取る。外側の面は、（Ａ）または（Ｂ）となる。測定端子は、直径１．５ｍｍの黒鉛電極を用いた。この時、電位差の値は揺らぎが大きいので測定毎の最大値をとることとした。
また、個別の細胞膜の電位は測定する事はせず、左右の手のひら間の電位差をその指標として採用した。この値と膜電位の相関は明確ではないが、２０代以下の健康な青年は、運動などの後を除き、静止状態では１０ｍｍＶ前後の値を示す。５０代以上の人は、５０ないし５００ｍｍＶと大きな差が出てくる。大きな値を有する人は、何らかの重篤な生活習慣病や炎症性の疾患を持つ人に多いので膜電位の指標として仮に採用した。この事に関しては将来の研究課題として両者の関係を解明する予定である。【００１０】  （Ａ）は、生体と基本的には炭素材料の時に正、金属類の時には負の電位となる。この事を利用して炭素電極と金属電極を別々に生体に装着して、金属電極から炭素電極のほうに生体を経由して電子を送り込むことができる。いずれか片方の電極だけを用いても、体内に電子を取り込むことは可能である。また生体の電位が正、炭素電極が負となる事もある。特に炎症に近い場所では、この現象は頻繁に観測される。さらに炭素材料（Ａ）が生体と間接的に近接し、（Ｂ）が生体により近接した状況では、（Ｂ）近傍は負の電位を示すことも観測された。
【考案の効果】
【００１１】  （ＡＢ）複合構成体を生体に近接または接触したところ、次のような体調の改善を見ることができた。筋肉痛、関節痛などの痛みの軽減、足のむくみの消失、痛風の痛みの解消、規則的な排便、下痢、深い睡眠、視力特に老眼および白内障の改善、耳だれなどの炎症の解消、発毛、抜け毛の防止、逆流性食道炎の軽減、結石痛の軽減または解消、皮膚のシミ、アザの淡色化および発生予防、冷え性の改善、低血圧の正常化、低白血球数の正常化など。また枕に装着した時には、睡眠時の頭付近は低温が保たれ、頭寒足熱を実感できる。その他の疾病についても、膜電位や生体の電位に差が大きい時は、本考案の電極によって負に荷電した電子を体内に送り込み、この電位差を縮小して健康を回復し、発病の予防や治療面に効果を発揮する事が期待される。
【考案を実施するための最良の形態】
【００１２】以下、頭部、足裏部および大腿部に（ＡＢ）複合構成体を装着した実施例によって具体的に説明する。
【実施例１】頭部装着用の（ＡＢ）複合構成体の一例を図１に示した。大きさタテ５ｃｍヨコ１２ｃｍの木綿製４号帆布１の下面に含水率１５０％の高分子ゲル２（パール金属製クールタイム）を約０．１ｍｍの厚さ（約１００ｇ／ｍ２）に塗付した（Ｂ）層３の片面に（Ａ）層となる厚さ０．０２５ｍｍのアルミニウム箔（日本製箔製ＰＡＣＡＬ２１）４を貼り合わせ（ＡＢ）複合構成体５とする。アルミニウム箔と反対面は、２５ミクロン厚さのポリプロピレンフイルム６を一層設けて高分子ゲル層を保護した。電極部全体の大きさは５×１０ｃｍ、厚さ約０．５ｍｍであった。この（ＡＢ）複合構成体はアルミニウム箔側を頭部中心に置き、この上から網状のナイトキャップを被り（ＡＢ）が動かないように固定した。この時、頭部皮膚と（Ｂ）の間に６００〜９００ｍｍＶの電位差が観測された。毎日の睡眠をこの状態で過ごしたところ、逆流性食道炎による胸やけがほぼ解消し、大便の排泄が毎日規則的になり、下痢を起こすこともなくなった。約二ヶ月後から頭皮の無毛禿部に産毛様の発毛が見られ、六ヶ月後には、無毛部が無くなり、発毛密度は薄いが全面的に毛髪の成長が観察された。腕や腰の痛みも消えた。左右の手の間の電位差は１３０〜１５０ｍｍＶから２５〜３０ｍｍＶと縮小した。外気温度は２８〜３０℃の時にアルミニウム面の温度は２３〜２５℃を維持した。水含率ほぼ２％以下の時は、頭部皮膚の温度は約３３℃であった。
【実施例２】
【００１３】枕７に装着した（ＡＢ）複合構成体５の一例を図２に示した。実施例１の（ＡＢ）複合構成体５のアルミニウム箔側に、５０メッシュのポリエステル繊維製の網８を被せ、紐９で低発泡ウレタン製の枕７に固定した。大きさは枕の上部面と略同じとした。この枕を睡眠時に用いたところ、実施例１と同じ効果が得られた。さらに肩こりが解消する効果や抜け毛が少なくなる効果を得た。
【実施例３】
【００１４】足裏に装着した（ＡＢ）複合構成体１０の一例を図３に示した。（Ａ）は黒鉛導電塗料（日本黒鉛製Ｌ−１３）１１を塗付した４号帆布１２で、塗料の塗布量は３０ｇ／ｍ２であった。黒鉛塗付面は実施例２と同じように５０メッシュのポリエステル繊維製の網８で表面を保護した。その反対面にイオン液体１３（１−エチル−３−メチルイミダゾリウムテトラフルオロボレ−ト試薬  関東化学製）を１０ｇ／ｍ２塗布し、その上に２５ミクロンのポリプロピレンフイルム１４を両面粘着フイルムで貼り合わせた。この（ＡＢ）複合構成体１０は総厚さ０．５ｍｍであった。これを足型に栽断し、粘着フイルムで１４を靴底に貼り合わせて固定する。この靴を履いた時に、足裏と黒鉛塗膜の間には６００〜１０００ｍｍＶの電位差が発生した。また、この状態で着用後、約一か月で足裏からは水虫、痛風の痛み、ひび、あかぎれ等が見られなくなった。靴の臭いは着用後、直ちに無くなった。また実施例１の（ＡＢ）複合構成剤と共に着用すると、腰の痛みや過激な運動による腹痛が緩和されることが分かった。この時の電位は、実施例１の複合構成体が負、実施例３の複合構成体が正となり、両者間に電気的な連絡が有ったものと推測された。また左右の足親指間の電位差が５０ｍｍＶから２５ｍｍＶに低下した。
【実施例４】
【００１５】大腿部１８に装着した（ＡＢ）複合構成体５の一例を図４に示した。１５は伸縮性のサポーターである。このサポーターによって実施例１に記した（ＡＢ）複合構成体５は支持されて、（Ａ）のアルミニウム箔４が腿の皮膚に接している。（ＡＢ）複合構成体と生体間には、３００〜６００ｍｍＶの電位差を生じた。（ＡＢ）複合構成体を装着したところ、約３０分で腿の筋肉痛は感じられなくなった。同時に、左右の腿間の電位差は６０ｍｍＶから３０ｍｍＶに低下した。
【実施例５】
【００１６】含水率１００％の混練陶土を厚さ約０．３ｍｍの厚さに腰部全体に塗り（Ｂ）層とした。その上から実施例１で用いたアルミニウム箔（Ａ）を被せ、掌で全面を引き延ばすように圧力を加えて３０分約４０℃で放置した。アルミニウム箔と腰部皮膚の間には、３００〜６００ｍｍＶの電位差を生じていた。腰部にあった痛みは約１時間後に消失した。同時に、左右の手の間の電位差は、９５ｍｍＶから２５ｍｍＶに低下した。
【実施例６】
【００１７】実施例１で用いたアルミニウム箔（Ａ）と含水シート状固体のイオン透過性ゲル（積水化学ＳＣＢ４ＢＺＶＡ−０５）（Ｂ）を貼り合わせ、（ＡＢ）複合構成体を作成した。これを実施例１の（ＡＢ）複合構成体５と置き換えて使用した。この場合も実施例１と同じ結果が得られた。（Ｂ）面と皮膚間には３００〜６００ｍｍＶの電位差が観測された。
【図面の簡単な説明】
【００１８】
【図１】頭部装着用（ＡＢ）複合構成体の１例を示す説明図
【図２】枕装着用（ＡＢ）複合構成体の１例を示す説明図
【図３】足裏装着用（ＡＢ）複合構成体の１例を示す説明図
【図４】大腿部装着用（ＡＢ）複合構成体の１例を示す説明図
【符号の説明】
【００１９】  １        帆布
２        高分子ゲル
３        帆布に高分子ゲルを塗布した（Ｂ）
４        アルミニウム箔（Ａ）
５        （ＡＢ）複合構成体
６        ポリプロピレンフイルム保護層
７        枕
８        ポリエステル繊維製の網
９        （ＡＢ）複合構成体と枕を固定する紐
１０        足裏装着用（ＡＢ）複合構成体
１１        黒鉛塗付層
１２        帆布
１３        イオン液体
１４        ポリプロピレンフイルム保護層
１５        サポーター
１６        頭部
１７        足裏
１８        大腿部
【図１】
0003136797.tif 000003
【図２】
0003136797.tif 000004
【図３】
0003136797.tif 000005
【図４】
0003136797.tif 000006